(57)【要約】      （修正有）【課題】潜在的にゲートされたチャネルを管理する。【解決手段】移動局４は連続する不良フレームのカウンタＣＯＵＮＴ１（２２４）および連続する良好フレームのカウンタＣＯＵＮＴ２（２２６）を備え、呼の始めでゼロに設定する。移動局４は受信したフレームが、良好か、不良か、空白かを判断し、良好の場合、ＣＯＵＮＴ１（２２４）をゼロに設定し、ＣＯＵＮＴ２（２２６）をインクリメントする。不良の場合、ＣＯＵＮＴ１（２２４）をインクリメントし、ＣＯＵＮＴ２（２２６）をゼロに設定する。空白の場合、ＣＯＵＮＴ１（２２４）およびＣＯＵＮＴ２（２２６）は変わらない。ＣＯＵＮＴ１（２２４）がしきい値ＴＨ１に到達すると、移動局４はその送信機をディスエーブルにする。その後、ＣＯＵＮＴ２（２２６）がしきい値ＴＨ２に到達すると、移動局はその送信機を再イネーブルにする。【選択図】図３
2011142651.tif 000002
【特許請求の範囲】
【請求項１】
下記の工程を具備するＤＴＸモードで送信されるチャネルを管理する方法：
フレームが空白か否かを判断する；および
前記判断に従って管理行動を取る。
【発明の詳細な説明】
【発明の属する技術分野】
【０００１】
この発明は通信に関する。特に、この発明は潜在的にゲートされたチャネルの性能を管理するための新規で改良された方法および装置に関する。
【従来の技術】
【０００２】
電気通信産業協会は、「デュアルモード広帯域スペクトル拡散セルラシステムのための移動局−地上局互換基準」という題名がつけられた暫定的基準ＩＳ−９５Ａ（以下ＩＳ−９５）において、符号分割多重アクセス（ＣＤＭＡ）の基準を開発した。ＩＳ−９５システムにおいて、移動局はその送信エネルギーを、開ループ電力制御方法および閉ループ電力制御方法により制御する。開ループ電力制御において、移動局は機能している基地局からの順方向リンク信号の受信されたエネルギーを測定し、この測定に従って、その逆方向リンクのエネルギーを調節する。閉ループ電力制御において、機能している基地局は移動局からの送信のエネルギーを測定し、この測定に基づいて一連のアップ／ダウンコマンドを移動局に送信し、移動局はこれに応答してその送信を調節する。閉ループと開ループの電力制御の利点を組み合わせた電力制御システムはこの発明の譲受人に譲渡されこの明細書に組み込まれる米国特許第5,056,109号（発明の名称：「ＣＤＭＡモバイル電話システムにおける送信電力を制御するための方法および装置」）に詳細に記載されている。
【０００３】
ＩＳ−９５において、通話中における順方向トラヒックチャネルを監視する必要がある。移動局が１２（Ｎ２ｍ）の連続する不良なフレームを受信すると、移動局は逆方向リンクを誤動作しないようにその送信機を無効にする必要がある。その後、移動局が２つの（Ｎ３ｍ）連続する良好なフレームを受信した場合には、移動局はその送信機を再びイネーブルにしなければならない。移動局はフェードタイマも維持する。移動局がその送信機を呼の始まりでイネーブルにするとフェードタイマは最初にイネーブルになり、２つの（Ｎ３ｍ）連続する良好なフレームを順方向トラヒックチャネル上で受信されると５（Ｔ５ｍ）秒間リセットされる。フェードタイマが満了すると、移動局はその送信機をディスエーブルにし順方向トラヒックチャネルの損失を宣言し、その呼を終了する。
【０００４】
国際電気通信連合は最近無線通信チャネルを介して高いデータレートおよび高品質の通話サービスを提供するための提案された方法の提出を要求した。これらの提案の１つは「ｃｄｍａ２０００ＩＴＵ−ＲＲＴＴ候補提案」（以下ｃｄｍａ２０００）という題名で電気通信産業協会により発行された。ｃｄｍａ２０００では、ＩＳ−９５の順方向トラヒックチャネルの均等物は順方向基本チャネル（Ｆ−ＦＣＨ）および順方向専用制御チャネル（Ｆ−ＤＣＣＨ）である。これらのチャネルで送信されるデータフレームは２０ｍｓまたは５ｍｓのいずれかの期間である。Ｆ−ＦＣＨの場合フレーム（２０ｍｓまたは５ｍｓ）はＣＤＭＡシステム時間の始まりに合わせて２０ｍｓのインターバル毎に送信される。Ｆ−ＤＣＣＨの場合には、送信を不連続にして、ＣＤＭＡシステム時間に合わせて２０ｍｓインターバルで送信されるフレームが無いようにすることができる。
【０００５】
符号分割多重アクセス（ＣＤＭＡ）変調技術の使用は、多数のシステムユーザが存在する場合に通信を容易にするためのいくつかの技術の１つである。時分割多重アクセス（ＴＤＭＡ）および周波数分割多元接続（ＦＤＭＡ）のような他の多重アクセス通信システム技術はこの分野において知られている。しかしながら、ＣＤＭＡのスペクトル拡散変調技術は多重アクセス通信システムのためのこれらの変調技術に対して重大な利点を有する。多重アクセス通信システムにおけるＣＤＭＡ技術の使用はこの発明の譲受人に譲渡され、その開示を参照することにより本明細書に組み込まれる米国特許第4,901,307号（発明の名称：「衛星または地上レピータを用いたスペクトル拡散多重アクセス通信システム」に開示されている。多重アクセス通信システムにおけるＣＤＭＡ技術の使用はさらにこの発明の譲受人に譲渡されその開示を参照することにより本明細書に組み込まれる米国特許第5,103,459号（発明の名称：「ＣＤＭＡセルラ電話システムにおける信号波形を発生するためのシステムおよび方法」に開示されている。ＣＤＭＡは広帯域信号であるという固有の性質により、広帯域に信号エネルギーを拡散させることにより周波数ダイバーシティーの形態を提供する。それゆえ、周波数選択フェージングは、ＣＤＭＡ信号帯域の小さな部分のみに影響を及ぼす。空間または経路ダイバーシティーは、２以上のセルサイトを介してモバイルユーザから同時リンクを介して複数の信号経路を提供することにより得られる。さらに、経路ダイバーシティーは、異なる伝播遅延を有して到着する信号を別箇に受信して処理可能にすることにより、スペクトル拡散処理を介して複数経路環境を利用することにより得るようにすることもできる。経路ダイバーシティーの例は共にこの発明の譲受人に譲渡され、その開示を参照することにより本明細書に組み込まれる米国特許第5,101,501号「ＣＤＭＡセルラ電話システムにおける通信においてソフトハンドオフを提供するための方法およびシステム」および米国特許第5,109,390号「ＣＤＭＡセルラ電話システムにおけるダイバーシティーレシーバ」に示されている。
【０００６】
ＱＰＳＫ変調フォーマットを用いてデータを供給する通信システムにおいて、ＱＰＳＫ信号のＩ成分およびＱ成分のクロス乗積をとることにより非常に有用な情報を得ることができる。２つの成分の相対的位相を知ることにより、基地局に対する移動局の速度をおおまかに決定することができる。ＱＰＳＫ変調通信システムにおけるＩ成分およびＱ成分のクロス乗積を決定するための回路の記述は、この発明の譲受人に譲渡され、その開示を参照することにより本明細書に組み込まれる米国特許第5,506,865号「パイロットキャリアドット積回路」に開示されている。
【０００７】
高いレートでデジタル情報を送信することのできる無線通信システムの要望が高まりつつある。遠隔局から中央基地局に高レートのデジタルデータを送信するための１つの方法は、遠隔局がＣＤＭＡのスペクトル拡散を用いてデータを送信可能にすることである。提案される１つの方法は、遠隔局が少ない数の直交チャネルの組を用いて情報を送信可能にすることである。この方法は、この発明の譲受人に譲渡され、その開示を参照することにより本明細書に組み込まれる米国特許第08/886,604「高データレートＣＤＭＡ無線通信システム」に詳細に記載されている。
【０００８】
移動局は、受信したフレームが良好なフレームか、不良なフレームかあるいは空白フレーム（すなわち送信なし）かを今決定しなければならないので、Ｆ−ＤＣＣＨがこの不連続送信（ＤＴＸ）モードにあるとき、Ｆ−ＤＣＣＨを管理するための新しい方法が必要である。
【発明の概要】
【０００９】
この発明は無線通信システムにおいて、潜在的にゲートされたチャネルを管理するための新規で改良された方法および装置である。
【００１０】
第１の方法は、単に空白クレームを無視し、潜在的に異なるしきい値を用いたＩＳ−９５に使用される方法の拡張である。移動局は、連続する不良なフレームのカウンタＣＯＵＮＴ１と連続する良好なフレームのカウンタＣＯＵＮＴ２とを維持する。ＣＯＵＮＴ１とＣＯＵＮＴ２は呼の始まりにおいてゼロに設定される。各フレームを受信するごとに、移動局はそれが良好なフレームか、不良なフレームかあるいは空白フレームかを決定する。受信したフレームが良好なフレームであれば、ＣＯＵＮＴ１はゼロにリセットされ、ＣＯＵＮＴ２は１インクリメントされる。受信したフレームが不良なフレームである場合には、ＣＯＵＮＴ１が１インクリメントされ、ＣＯＵＮＴ２がゼロにリセットされる。受信したフレームが空白フレームの場合、ＣＯＵＮＴ１とＣＯＵＮＴ２は変わらない。ＣＯＵＮＴ１がしきい値ＴＨ１に到達すると、移動局はその送信機をディスエーブルにする。その後ＣＯＵＮＴ２がしきい値ＴＨ２に到達すると、移動局はその送信機を再びイネーブルにする。ＣＯＵＮＴ２がＴＨ３以上の場合には、移動局はフェードタイマをＸ秒にリセットする。
【００１１】
第２の例示実施形態において、基地局は、その時点において、Ｆ−ＤＣＣＨに送信すべきデータが無いならば、周期的に（例えば、ＣＤＭＡシステム時間の初めに合わせてＮ秒インターバル毎の始まりで）「管理フレーム」を送信する。管理フレームは基地局と移動局との間で取り決められた、最も低いデータレートで送信される。移動局は次に、種々のしきい値に対して潜在的に異なる値を用いて、ＩＳ−９５に定義される方法と同様の方法で、そのようなプリセット時間に送信されたフレームに対してＦ−ＤＣＣＨ管理を行う。移動局は、これらの周期的フレームに加えて管理目的のために受信した他の非空白フレームも含めることができる。
【００１２】
第３の例示実施形態において、基地局は、連続する空白フレームの数がしきい値を超えたとき、あるいは所定のインターバルにおける空白フレーム（連続または不連続）の数があるしきい値を超えたとき、「管理フレーム」を送信する。これは、移動局が時々管理を行うためにいくつかの非空白フレームを持つことを保証する。
【００１３】
第４の例示実施形態において、移動局は、検出された連続する空白フレームの数がしきい値を越えたとき、基地局から返事（例えばこの返事は単にアクノレジメントであり得る）を必要とするメッセージを送信する。これは、管理を行う非空白フレームを移動局が受信することを保証する。
【００１４】
第５の例示実施形態において、移動局は、所定のインターバルにおいて、検出された空白フレーム（連続または不連続）の数がしきい値を超えると基地局からの返事（この返事は単にアクノレジメントであり得る）を必要とするメッセージを送信する。これは移動局が時々管理を行う為の非空白フレームを取得することを保証する。
【００１５】
第６の例示実施形態において、移動局は、Ｆ−ＤＣＣＨ管理を行うためにアクティブセット（Active Set）におけるパイロットの受信したパイロット強度（Ｅｃ／Ｉｏ）を使用する。統合されたアクティブセットパイロットＥｃ／Ｉｏがあらかじめセットされたしきい値より大きければ、移動局は、そのフレームでデータが送出されるならば、そのデータは正しく受信された、それゆえ良好なフレームであると考える。さもなければ、移動局はそのフレームが不良であると考える。ＩＳ−９５に定義されたルールと同様の（上述した良好なフレームと不良なフレームの定義を有した）管理ルールを、同じしきい値または修正したしきい値のいずれかを用いて使用することができる。
【００１６】
同一部には同符号を付した図面とともに以下に述べる詳細な記述から本発明の特徴、目的および利点がさらに明らかになるであろう。
【図面の簡単な説明】
【００１７】
【図１】無線通信システムのエレメントを示す図である。
【図２】この発明の基地局のブロック図である。
【図３】この発明の遠隔局のブロック図である。
【発明を実施するための形態】
【００１８】
図１において、基地局２は順方向リンク信号６を移動局４に送信する。移動局４は逆方向リンク信号８を基地局２に送信する。例示する実施形態において、順方向リンク信号６と逆方向リンク信号８は、「ｃｄｍａ２０００  ＩＴＵ−Ｒ  ＲＴＴ  候補提案」という題名が付けられ、「ｃｄｍａ２０００物理層のための提案されたバロットテキスト(Ballot Text)」という題名がつけられた暫定的基準ドラフトテキストにおいてさらに改訂された国際電気通信連合（ＩＴＵ）への候補提案において、電気通信産業協会によって規定された符号分割多重アクセス（ＣＤＭＡ）通信信号である。
【００１９】
図２を参照すると、順方向リンク信号６上でのＦ−ＤＣＣＨの送信および逆方向リンク信号８の受信に必要なエレメントが詳細に図示されている。Ｆ−ＤＣＣＨ上の送信のためのメッセージはＦ−ＤＣＣＨメッセージ発生器（ＤＣＣＨ  ＭＳＧ  ＧＥＮ）１００において発生される。これらのメッセージは（以下に述べる）レートスケジューリングメッセージ、ハンドオフ方向メッセージおよび応答メッセージを含めても良い。上述したように、Ｆ−ＤＣＣＨは、送信すべきメッセージがあるとき送信し、Ｆ−ＤＣＣＨ上に送信すべきメッセージが無いとき送信しないＤＴＸチャネルである。
【００２０】
メッセージはＦ−ＤＣＣＨ処理エレメント１０２に供給される。Ｆ−ＤＣＣＨ処理エレメント１０２はＦ−ＤＣＣＨメッセージ（存在するとき）の必要な前処理と符号化を行い、順方向リンク信号６のＦ−ＤＣＣＨ上に送信するためのメッセージをチャネル化する。Ｆ−ＤＣＣＨメッセージはＣＲＣおよびテイルビット(tail bit)発生器１０４に供給される。これに応答して、ＣＲＣおよびテイルビット発生器１０４は、Ｆ−ＤＣＣＨメッセージ内のビットに従って一連の巡回冗長検査（ＣＲＣ）ビットを発生し、このＣＲＣビットをＦ−ＤＣＣＨメッセージに付加する。次に、ＣＲＣおよびテイルビット発生器１０４は受信機のデコーダのメモリをクリアするために一連のテイルビットを付加し、その結果得られるパケットをエンコーダ１０６に供給する。
【００２１】
例示実施形態において、エンコーダ１０６は一般的なエンコーダである。このエンコーダの設計および実現についてはこの分野において良く知られている。本発明は、ブロックコーダおよびターボコーダのような他のエンコーダにも等しく適用できることは当業者により理解されるであろう。符号化された信号はインターリーバ１０８に供給される。インターリーバ１０８はＦ−ＤＣＣＨメッセージの送信に時間ダイバーシティを供給するために所定の態様でシンボルを記録する。無線通信システムのエラーは一般的にバーストにおいて生じる。デコーダは、バーストにおいて生じないエラーを取り扱うとき重要な性能上の利点を有する。インターリーブ動作は、受信機におけるデコーダの性能を改善するためにパケット上のエラーバーストの結果を拡散するのに役立つ。
【００２２】
インターリーブされた信号は電力制御挿入エレメント１０９に供給される。挿入エレメント１０９は逆方向電力制御ビットを受信し、その電力制御ビットをインターリーブされたシンボルストリームに挿入する。電力制御ビットは移動局４に送信され逆方向リンク信号８の送信エネルギーを調節するために使用される。挿入エレメント１０９からのシンボルは、異なる処理経路にシンボルを二者択一的に出力するデマルチプレクサ１１０に供給される。デマルチプレクサ１１０の第１の出力は拡散エレメント１１２ａに供給されデマルチプレクサ１１０の次の出力はスプレッダー１１２ｂに出力され、以下同様である。スプレッダー１１２は直交拡散機能ＷＤＣＣＨに従ってデマルチプレクスしたシンボルを拡散する。直交拡散はこの分野において良く知られており、スプレッダー１１２の好適実施形態は上述した米国特許第5,103,459号に開示される。拡散信号は、複合ＰＮスプレッダー１１６に供給される。
【００２３】
専用制御チャネルに加えて、例示実施形態において、基地局２は、遠隔局４がコヒーレントに受信したＦ−ＤＣＣＨを復調可能なように、パイロットチャネルを送信する。パイロットシンボル、一般にはすべての１のシーケンスが拡散エレメント１１４に供給される。パイロットシンボルは、拡散シーケンスＷＤＣＣＨに直交する直交拡散シーケンスＷｐｉｌｏｔに従って拡散される。
【００２４】
拡散エレメント１１２および１１４からの拡散信号は複合ＰＮスプレッダー１１６に供給される。複合ＰＮスプレッダー１１６はスプレッダー１１２および１１４からの信号を２つの擬似ランダム雑音（ＰＮ）シーケンスＰＮ１およびＰＮＱに従って拡散する。複合ＰＮ拡散はこの分野において良く知られており、ｃｄｍａ２０００候補提案、ＩＳ−２０００ドラフト仕様書および上述した同時係属特許出願第０８／８５６４２８号に詳細に記載されている。複合ＰＮ拡散信号はトランスミッタ（ＴＭＴＲ）１１８に供給される。トランスミッタ１１８はアンテナ１２０を介して順方向リンク信号６として送信するために拡散信号をアップコンバートし、増幅し、フィルタする。例示実施形態において、トランスミッタ１１８はＱＳＰＫフォーマットに従って信号を変調する。
【００２５】
図３を参照すると、順方向リンク信号６はアンテナ２００において受信され送受切り替え器２０２を介して受信機（ＲＣＶＲ）２０４に供給される。受信機２０４は順方向リンク信号６をダウンコンバートし、増幅し、フィルタする。例示実施形態において、受信機２０４は順方向リンク信号６をＱＳＰＫ復調フォーマットに従って復調し、同相かつ直交位相の信号を複合ＰＮデスプレッダ２０６に出力する。複合ＰＮデスプレッダ２０６は、信号を拡散するのに使用される２つの擬似ランダム雑音ノイズ（ＰＮ１およびＰＮＱ）に従って受信した信号を集中する。
【００２６】
複合ＰＮデスプレッド信号はパイロットフィルタ２０８に供給される。パイロットフィルタ２０８は直交拡散シーケンスＷｐｉｌｏｔに従って信号をデスプレッドする。デスプレッドパイロットシンボルはＥｃ／Ｉｏ計算機２１４およびドット積回路２１６に供給される。
【００２７】
複合ＰＮデスプレッド信号はまた復調器２１０に供給される。復調器２１０は直交拡散コードＷＤＣＣＨに従ってＰＮデスプレッド信号を復調する。次に、デスプレッド信号はドット積回路２１６に供給される。ドット積回路２１６はＦ−ＤＣＣＨおよびパイロットチャネルのドット積を計算する。パイロットチャネルと専用制御チャネルは共に同じ伝播経路を横切るので、同じ位相シフトを経験する。パイロットチャネルとＤＣＣＨチャネルのドット積を計算することにより、その結果は、チャネル誘導位相あいまいさを除去したスカラーセットの大きさである。ドット積回路２１６の好適実現は、上述した米国特許第5,506,865号に記載されている。
【００２８】
ドット積回路２１６からの復調されたシンボルはデインタリーバ／デコーダ２１８および空白フレーム検出器２２０に供給される。デインターリーバ／デコーダ２１８はＦ−ＤＣＣＨメッセージを非交互に配置してデコードし、メッセージの推定あるいは不良フレームの宣言を示す信号をＤＣＣＨ制御プロセッサ２２２に供給する。不良フレームを検出する多くの方法がある。第１の方法は、遠隔局４において局所的に発生されたとき巡回冗長ビットがデコードされたＣＲＣビットと符号するか否かを判断することである。第２の方法は、受信された符号化された記号をデコードされたビットに基づいて一連の局所的に発生された再エンコードされたシンボルと比較することにより受信したシンボルのシンボルエラーレートを計算することである。
【００２９】
ドット積回路２１６からの復調されたシンボルはまた空白フレーム検出器２２０に供給される。例示実施形態において、空白フレーム検出器２２０は復調されたシンボルのＳ／Ｎ比を計算し、測定したＳ／Ｎ比をしきい値と比較する。Ｓ／Ｎ比がしきい値未満の場合、空白フレームが宣言される。空白フレームを決定する他の方法があり、それらの方法はいずれもこの発明の範囲を逸脱することなく採用できることに注意しなければならない。空白フレームを検出するための方法と装置は、この発明の譲受人に譲渡され、参照することにより本明細書に組み込まれる、１９９８年９月９日に出願された同時係属米国特許出願第０９／１５０，４９３号（発明の名称：「エネルギーにもとづいた通信レート検出システムおよび方法」）に開示される。
【００３０】
空白でないデータフレームはＤＣＣＨ制御プロセッサ２２２に供給される。ＤＣＣＨ制御プロセッサ２２２は挿入された電力制御コマンドを抽出し、それに応答して逆方向リンク信号８の送信エネルギーを調節する送信機２３２に信号を送出する。この電力制御コマンドストリームの損失は逆方向リンク信号８の電力および逆方向リンクを妨害するための電位の制御を不能にする。
【００３１】
この発明の第１の実施形態において、ＤＣＣＨ制御プロセッサ２２２はフレームが良好か、不良か、空白かの表示をデコーダ２１８または検出器２２０から受信する。２つのカウンタ（ＣＮＴ１）２２４および（ＣＮＴ２）２２６は呼の始めにおいてゼロにイニシャライズされる。受信したフレームが良好なフレームの場合には、カウンタ２２４はゼロにリセットされ、カウンタ２２６は１インクリメントされる。受信されたフレームが不良なフレームであると宣言された場合には、カウンタ２２４がインクリメントされ、カウンタ２２６がゼロにリセットされる。フレームが空白であると宣言された場合には、カウンタ２２４および２２６の内容は変わらない。カウンタ２２４の値がしきい値ＴＨ１に到達すると、ＤＣＣＨ制御プロセッサ２２２は送信機をディスエーブルにする信号を送信機２３２に送出する（すなわち出力電力はオフになる）。その後、カウンタ２２６の値がしきい値ＴＨ２に到達すると、ＤＣＣＨ制御プロセッサ２２２は送信機を再イネーブルにする信号を送信機２３２に送出する。
【００３２】
第２の例示実施形態において、基地局２は、そのときＦ−ＤＣＣＨに送信すべきデータが無いときＮ秒インターバルごとに、フレーム、ここではスーパーバイザリフレームと呼ぶ、を送信する。好適実施形態において、スーパーバイザリフレームは移動局に知られたあらかじめ定義されたビットを含み、基地局２と移動局４との間で取り決められた最も低いデータレートで送信される。
【００３３】
図２を参照すると、タイマ１３４はＮ秒インターバルを追跡し、そのインターバルの満了において、信号を制御プロセッサ１３２に送出する。制御プロセッサ１３２は送信のためのメッセージがあるか否かを判断し、無ければ、スーパーバイザリフレームを発生するためにメッセージ発生器１００に信号を供給する。スーパーバイザリフレームは他のＤＣＣＨメッセージに関連して上述したＦ−ＤＣＣＨチャネル上に送信される。次に、移動局４は、種々のしきい値に対して潜在的に異なる値を有し、ＩＳ−９５において定義された方法と同様の方法で、そのようなあらかじめセットされた時間に送信された非空白フレームの管理を行う。移動局４はこれらの周期的フレームに加えて管理目的のために受信した他の非空白フレームも含む。
【００３４】
第３の例示実施形態において、基地局２は、連続する空白フレームの数がしきい値を超えるとき、ここではスーパーバイザリフレームと呼ばれるフレームを送信する。好適実施形態において、スーパーバイザリフレームは、移動局に知られるあらかじめ定義されたビットを含み、基地局２と移動局４との間で取り決められた最も低いデータレートで送信される。
【００３５】
図２を参照すると、制御プロセッサ１３２は、メッセージ発生器１００からの信号に従って連続する空白フレームの数を追跡する。連続する空白フレームの数がしきい値を超えると、制御プロセッサは、スーパーバイザリフレームを発生するために、メッセージ発生器１００にスーパーバイザリフレームを発行するための信号を送出する。スーパーバイザリフレームは他のＦ−ＤＣＣＨメッセージに関連して記載されたＦ−ＤＣＣＨチャネル上に送信される。次に移動局は、種々のしきい値に対し潜在的に異なる値を有し、ＩＳ−９５に定義された方法と同様の方法で、すべての非空白フレームについてＦ−ＤＣＣＨ管理を行う。
【００３６】
第４の例示実施形態において、移動局４は、検出された連続する空白フレームがしきい値を超えるとき、基地局２からの返事（例えば返事は単にアクノレジメントであり得る）を必要とするメッセージを送信する。図３を参照すると、制御プロセッサ２２２は空白フレーム検出器２２０から空白がフレームか否かに関する表示を受信する。この実施形態において、カウンタ２２４は連続する空白フレームの数を追跡し、不良フレームまたは良好フレームが検出されたときリセットされる。連続する空白フレームがしきい値を超えると、制御プロセッサ２２２は信号をメッセージ発生器（ＭＳＧ  ＧＥＮ）２２８に送出する。メッセージ発生器２２８はこれに応答してリクエストメッセージを発生する。リクエストメッセージはエンコーダ２２８においてエンコードされ、変調器２３０において変調され、逆方向リンク信号の所定のチャネル上でアップコンバートされ、増幅され、フィルタされる。リクエストメッセージは、基準ですでに定義された既存の何らかのメッセージであり、アクノレジメントの送出の他には、基地局に行動を起こさせない。例えば、電力測定報告メッセージである。リクエストメッセージはまた、Ｆ−ＤＣＣＨにスーパーバイザリフレームを基地局２に送信させる特別のメッセージであり得る。
【００３７】
図２を参照すると、リクエストメッセージはアンテナ１２２に受信され受信機１２４に供給される。受信機１２４は逆方向リンク信号８をダウンコンバートし、増幅し、フィルタし、受信した信号を復調器１２６に供給する。復調器１２６は信号を復調し、デコーダ１２８は，リクエストメッセージを制御プロセッサ１３２に供給する復調されたシンボルをデコードする。これに応答して制御プロセッサ１３２はメッセージがＦ−ＤＣＣＨ上に送信されるように待ち行列が作られるか判断し、待ち行列が作られなければ、メッセージ発生器１００がＦ−ＤＣＣＨ上の送信のためにメッセージを発生することを要求する信号を送出する。例示実施形態において、発生器１００により発生されたメッセージは単に移動局４からの要求メッセージの受信のアクノレジメントである。
【００３８】
第５の例示実施形態において、移動局４は空白フレームが連続か否かに関係なく所定の数の受信フレーム内で検出された空白フレームの数がしきい値を超えると基地局２からの返事を必要とするメッセージを送信する。図３を参照すると、制御プロセッサ２２２は、フレームが空白か否かを示す表示を空白フレーム検出器２２０から受信する。カウンタ２２４は移動アキュムレータの態様で空白フレームの数を追跡する。所定数の受信フレーム内における空白フレームのカウント値がしきい値を超えると、制御プロセッサ２２２は信号をメッセージ発生器（ＭＳＧ  ＧＥＮ）２２８に送出する。メッセージ発生器２２８はこれに応答してリクエストメッセージを発生する。リクエストメッセージはエンコーダ２２９でエンコードされ、変調器２３０で変調され、逆方向リンク信号８の所定のチャネル上でアップコンバートされ、増幅されフィルタされる。
【００３９】
図２を参照すると、リクエストメッセージはアンテナ１２２で受信され受信機１２４に供給される。受信機１２４は逆方向リンク信号８をダウンコンバートし、増幅し、フィルタし、受信した信号を復調器１２６に供給する。復調器１２６は信号を復調し、デコーダ１２８は、制御プロセッサ１３２に要求メッセージを供給する復調されたシンボルをデコードする。これに応答して、制御プロセッサ１３２は、メッセージがＦ−ＤＣＣＨ上に送信されるように待ち行列が作られるかどうか判断し、待ち行列が作られなければ、メッセージ発生器１００がＦ−ＤＣＣＨ上の送信のためのメッセージを発生することを要求する信号を送出する。例示実施形態において、発生器１００により発生されるメッセージは単に要求メッセージの受信のアクノレジメントである。
【００４０】
第６の例示実施形態において、移動局４はＦ−ＤＣＣＨ管理を行うためにアクティブセット(Active Set)内のパイロットのパイロット強度（Ｅｃ／Ｉｏ）を使用する。統合されたアクティブセットパイロットＥｃ／Ｉｏが所定のしきい値を超えると、移動局４は、そのフレーム内で送られた場合にはそのデータは正しく受信された、すなわち良好なフレームであると考える。さもなければ、移動局４はそのフレームを不良として考える。ＩＳ−９５において規定されると同様の良好フレームと不良フレームの上述の定義を有した管理ルールをＩＳ９５に規定されるのと同じしきい値を用いてあるいは修正されたものを用いて使用することができる。
【００４１】
図３を参照すると、受信したパイロットシンボルのＳ／Ｎ比（Ｅｃ／Ｉｏ）はＥｃ／Ｉｏ計算機２１４において計算される。順方向リンク信号６のパイロット信号のためのＥｃ／Ｉｏ値は、移動局４のアクティブセット内の他の基地局からのパイロットのＥｃ／Ｉｏ値と結合され統合されたＥｃ／Ｉｏを供給する。基地局のアクティブセットは現在移動局４と通信している基地局のセットである。統合パイロットＥｃ／Ｉｏは制御プロセッサ２２２に供給される。制御プロセッサ２２２は統合Ｅｃ／Ｉｏをしきい値と比較する。統合Ｅｃ／Ｉｏがしきい値を超えると良好なフレームが宣言され、統合Ｅｃ／Ｉｏがしきい値未満の場合には不良なフレームが宣言される。これは移動局４がフレームをデコードすることなしに、受信したフレームが非空白フレームであるならば、良好なフレームか不良なフレームかを推論可能にする。これらのカウント値にもとづいて、移動局４は上述したように送信機２３２をイネーブルまたはディスエーブルにする。
【００４２】
好適実施形態の上述した記載は当業者がこの発明を作成または使用可能なように提供される。これらの実施形態に対する種々の変形例は当業者に明らかであり、ここに定義される一般的原理は発明的能力を使用することなく他の実施形態に適用可能である。従って、この発明はここに示した実施形態に限定されることを意図せず、ここに開示した原理および新規な特徴に一致する最も広い範囲に一致する。
【図１】
2011142651.tif 000003
【図２】
2011142651.tif 000004
【図３】
2011142651.tif 000005
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
無線通信システムにおいて移動局に使用するための装置において、
フレームが空白か否かを検出し検出した内容を示す信号を送信する手段と、
移動アキュムレータ(a moving accumulator)の態様(fashion)で、検出された空白フレームの数を追跡する手段と、
所定数の受信されたフレーム内で検出された空白フレームのカウント値が閾値を超えるなら信号を送信する手段と、
前記信号を受信し、前記受信した信号に応答して送信のためのメッセージを基地局に送信する手段、ここにおいて、前記メッセージは前記基地局からの応答を必要とする、装置。
【請求項２】
前記フレームが空白か否かを検出する手段は、復調されたシンボルの計算された信号対雑音比が閾値を下回ること決定することによりフレームが空白か否かを検出する、請求項１の装置。
【請求項３】
請求項１の装置を備えた移動局。
【手続補正２】
【補正対象書類名】明細書
【補正対象項目名】００４２
【補正方法】変更
【補正の内容】
【００４２】
好適実施形態の上述した記載は当業者がこの発明を作成または使用可能なように提供される。これらの実施形態に対する種々の変形例は当業者に明らかであり、ここに定義される一般的原理は発明的能力を使用することなく他の実施形態に適用可能である。従って、この発明はここに示した実施形態に限定されることを意図せず、ここに開示した原理および新規な特徴に一致する最も広い範囲に一致する。
以下に他の実施形態を示す。
［１］下記の工程を具備するＤＴＸモードで送信されるチャネルを管理する方法：
フレームが空白か否かを判断する；および
前記判断に従って管理行動を取る。
【外国語明細書】
2011142651000001.pdf